(57)【要約】【課題】表示装置が端末装置からデータを受信して表示する場合に、表示装置が受信するデータ量を効果的に抑制する。【解決手段】プロジェクター２００は、複数のＰＣ１００Ａ〜１００Ｄから送信される画像データを受信する通信Ｉ／Ｆ部２５１と、複数のＰＣ１００Ａ〜１００Ｄから受信した画像データに基づく画像をスクリーンＳＣの表示領域２０に表示させる表示部２１０と、複数のＰＣ１００Ａ〜１００Ｄから受信した画像データに基づく画像が表示される表示領域２０の分割領域２１〜２４の面積を変更する表示制御部２７３とを備え、ＰＣ１００Ａ〜ＰＣ１００Ｄは、変更された分割領域２１〜２４の表示面積に応じて決定されるデータ量で、画像データをプロジェクター２００に送信する表示システム１。【選択図】図３
2018036470.tif 000002
【特許請求の範囲】
【請求項１】
表示装置と、
前記表示装置に第１の画像データを送信する第１の端末装置と、
前記表示装置に第２の画像データを送信する第２の端末装置と、を備え、
前記表示装置は、
前記第１の画像データ及び前記第２の画像データを受信する通信部と、
前記通信部が受信した前記第１の画像データに基づく第１の画像と、前記通信部が受信した前記第２の画像データに基づく第２の画像とを表示する表示部と、
前記第１の画像及び前記第２の画像の少なくとも一方の表示面積を変更する表示制御部と、を備え、
前記第１の端末装置は、変更された前記第１の画像の表示面積に応じて決定されるデータ量で、前記第１の画像データを前記表示装置に送信し、
前記第２の端末装置は、変更された前記第２の画像の表示面積に応じて決定されるデータ量で、前記第２の画像データを前記表示装置に送信する表示システム。
【請求項２】
前記表示制御部は、前記第１の画像の表示面積を変更した場合に、変更後の前記第１の画像の表示面積を示す情報を前記第１の端末装置に送信し、前記第２の画像の表示面積を変更した場合に、変更後の前記第２の画像の表示面積を示す情報を前記第２の端末装置に送信し、
前記第１の端末装置は、前記表示装置から受信した前記第１の画像の表示面積を示す情報に基づき、前記表示装置に送信する前記第１の画像データのデータ量を制御する第１制御部を備え、
前記第２の端末装置は、前記表示装置から受信した前記第２の画像の表示面積を示す情報に基づき、前記表示装置に送信する前記第２の画像データのデータ量を制御する第２制御部を備える請求項１記載の表示システム。
【請求項３】
前記表示制御部は、前記第１の画像の表示面積を変更した場合に、変更後の前記第１の画像の表示面積に基づき、前記第１の端末装置が前記表示装置に送信する前記第１の画像データのデータ量を決定して前記第１の端末装置に通知し、
前記第２の画像の表示面積を変更した場合に、変更後の前記第２の画像の表示面積に基づき、前記第２の端末装置が前記表示装置に送信する前記第２の画像データのデータ量を決定して前記第２の端末装置に通知する請求項１記載の表示システム。
【請求項４】
前記表示制御部は、前記第１の画像の表示面積を変更するごとに、変更後の前記第１の画像の表示面積を示す情報を前記第１の端末装置に送信し、
前記第２の画像の表示面積を変更するごとに、変更後の前記第２の画像の表示面積を示す情報を前記第２の端末装置に送信する請求項２記載の表示システム。
【請求項５】
前記表示制御部は、前記第１の画像の表示面積を変更するごとに、変更後の前記第１の画像の表示面積に基づき、前記第１の端末装置が前記表示装置に送信する前記第１の画像データのデータ量を決定して前記第１の端末装置に通知し、
前記第２の画像の表示面積を変更するごとに、変更後の前記第２の画像の表示面積に基づき、前記第２の端末装置が前記表示装置に送信する前記第２の画像データのデータ量を決定して前記第２の端末装置に通知する請求項３記載の表示システム。
【請求項６】
前記表示部は、前記第１の画像及び前記第２の画像を表示面の表示領域に表示し、
前記表示制御部は、前記第１の画像の表示面積を変更した場合に、前記表示領域全体の面積と、前記表示領域に表示される前記第１の画像の表示面積とを示す情報を前記第１の端末装置に送信し、前記第２の画像の表示面積を変更した場合に、前記表示領域全体の面積と、前記表示領域に表示される前記第２の画像の表示面積とを示す情報を前記第２の端末装置に送信し、
前記第１制御部は、前記表示装置から受信した前記表示領域全体の面積と、前記第１の画像の表示面積とを示す情報に基づき、前記表示領域全体の面積と、前記第１の画像の表示面積との面積比により前記表示装置に送信する前記第１の画像データのデータ量を決定し、
前記第２制御部は、前記表示装置から受信した前記表示領域全体の面積と、前記第２の画像の表示面積との面積比により前記表示装置に送信する前記第２の画像データのデータ量を決定する請求項２又は４に記載の表示システム。
【請求項７】
前記第１制御部は、前記第１の画像データのデータ量が決定した前記データ量となるように、前記第１の画像データの解像度を変換又はフレームレートを変換し、
前記第２制御部は、前記第２の画像データのデータ量が決定した前記データ量となるように、前記第２の画像データの解像度を変換又はフレームレートを変換する請求項６記載の表示システム
【請求項８】
前記表示部は、前記第１の画像及び前記第２の画像を表示面に表示し、
前記表示制御部は、前記第１の画像の表示面積を変更した場合に、前記表示領域全体の面積と、前記第１の画像の表示面積との面積比に基づき、前記第１の端末装置が前記表示装置に送信する前記第１の画像データのデータ量を決定し、
前記第２の画像の表示面積を変更した場合に、前記表示領域全体の面積と、前記第２の画像の表示面積との面積比に基づき、前記第２の端末装置が前記表示装置に送信する前記第２の画像データのデータ量を決定する請求項３又は５に記載の表示システム。
【請求項９】
前記第１制御部は、前記第１の画像データのデータ量が、前記表示装置から通知されたデータ量となるように前記第１の画像データの解像度を変換又はフレームレートを変換し、
前記第２制御部は、前記第２の画像データのデータ量が、前記表示部から通知されたデータ量となるように前記第２の画像データの解像度を変換又はフレームレートを変換する請求項８記載の表示システム。
【請求項１０】
第１の端末装置及び第２の端末装置と通信を行う通信部と、
前記第１の端末装置から受信した第１の画像データに基づく第１の画像、及び前記第２の端末装置から受信した第２の画像データに基づく第２の画像を表示させる表示部と、
前記第１の画像及び前記第２の画像の少なくとも一方の表示面積を変更する表示制御部と、を備え、
前記表示制御部は、前記第１の画像の表示面積を変更した場合に、変更した前記第１の画像の表示面積を示す情報を前記第１の端末装置に送信し、前記第２の画像の表示面積を変更した場合に、変更した前記第２の画像の表示面積を示す情報を前記第２の端末装置に送信する表示装置。
【請求項１１】
第１の端末装置及び第２の端末装置と通信を行うステップと、
前記第１の端末装置から受信した第１の画像データに基づく第１の画像、及び前記第２の端末装置から受信した第２の画像データに基づく第２の画像を表示させるステップと、
表示された前記第１の画像及び前記第２の画像の少なくとも一方の表示面積を変更するステップと、
前記第１の画像の表示面積が変更された場合に、変更された前記第１の画像の表示面積を示す情報を前記第１の端末装置に送信するステップと、
前記第２の画像の表示面積が変更された場合に、変更された前記第２の画像の表示面積を示す情報を前記第２の端末装置に送信するステップと、
を有する表示装置の制御方法。
【請求項１２】
コンピューターに、
第１の端末装置から受信した第１の画像データに基づく第１の画像と、第２の端末装置から受信した第２の画像データに基づく第２の画像とを表示させる手順と、
表示された前記第１の画像及び前記第２の画像の少なくとも一方の表示面積を変更する手順と、
前記第１の画像の表示面積が変更された場合に、変更された前記第１の画像の表示面積を示す情報を前記第１の端末装置に送信する手順と、
前記第２の画像の表示面積が変更された場合に、変更された前記第２の画像の表示面積を示す情報を前記第２の端末装置に送信する手順と、
を実行させるためのプログラム。
【発明の詳細な説明】
【技術分野】
【０００１】
本発明は、表示システム、表示装置、表示装置の制御方法、及びプログラムに関する。
【背景技術】
【０００２】
従来、複数の端末装置を表示装置に接続し、複数の端末装置から送信される複数の画像データに基づく画像を表示装置により表示するシステムが知られている。表示装置により複数の画像を表示する場合、複数の画像を異なる表示サイズで表示する場合がある（例えば、特許文献１参照）。
特許文献１の投影装置は、投影画像の重要度に応じた分割パターンを登録した分割パターンテーブルを記憶する記憶手段を備える。投影装置は、複数のクライアント端末から複数の投影画像を受信した場合に、投影画像の重要度に基づき分割パターンを決定し、決定した分割パターンで複数の投影画像を投影する。
【先行技術文献】
【特許文献】
【０００３】
【特許文献１】特開２０１３−１２２５５０号公報
【発明の概要】
【発明が解決しようとする課題】
【０００４】
ところで、表示装置に対して画像データを送信する端末装置の数が増えると、表示装置が受信するデータ量が増大し、表示装置における表示の遅延等を招く可能性がある。このため、表示装置が受信するデータ量の増大を抑えることが考えられるが、例えば特許文献１記載の複数のクライアント装置は、データ量の増大に関して特に対策を行わない。従って、表示装置が受信して処理するデータ量を、効果的に抑制するための手法が求められている。
本発明は、上記事情に鑑みてなされたものであり、表示装置が端末装置からデータを受信して表示する場合に、表示装置が受信するデータ量を効果的に抑制することを目的とする。
【課題を解決するための手段】
【０００５】
上記課題を解決するため、本発明は、表示装置と、前記表示装置に第１の画像データを送信する第１の端末装置と、前記表示装置に第２の画像データを送信する第２の端末装置と、を備え、前記表示装置は、前記第１の画像データ及び前記第２の画像データを受信する通信部と、前記通信部が受信した前記第１の画像データに基づく第１の画像と、前記通信部が受信した前記第２の画像データに基づく第２の画像とを表示する表示部と、前記第１の画像及び前記第２の画像の少なくとも一方の表示面積を変更する表示制御部と、を備え、前記第１の端末装置は、変更された前記第１の画像の表示面積に応じて決定されるデータ量で、前記第１の画像データを前記表示装置に送信し、前記第２の端末装置は、変更された前記第２の画像の表示面積に応じて決定されるデータ量で、前記第２の画像データを前記表示装置に送信する。
本発明によれば、表示装置において複数の画像を表示する場合に、表示される画像の面積に応じて、第１及び第２の端末装置が表示装置に送信する画像データのデータ量が決定される。従って、複数の端末装置により画像データを表示装置に送信する場合に、表示装置に送信する画像データのデータ量を、各端末装置に好適に配分することができる。このため、表示装置が端末装置からデータを受信して表示する場合に、表示装置が受信するデータ量を効果的に抑制することができる。
【０００６】
また、本発明は、前記表示制御部は、前記第１の画像の表示面積を変更した場合に、変更後の前記第１の画像の表示面積を示す情報を前記第１の端末装置に送信し、前記第２の画像の表示面積を変更した場合に、変更後の前記第２の画像の表示面積を示す情報を前記第２の端末装置に送信し、前記第１の端末装置は、前記表示装置から受信した前記第１の画像の表示面積を示す情報に基づき、前記表示装置に送信する前記第１の画像データのデータ量を制御する第１制御部を備え、前記第２の端末装置は、前記表示装置から受信した前記第２の画像の表示面積を示す情報に基づき、前記表示装置に送信する前記第２の画像データのデータ量を制御する第２制御部を備える。
本発明によれば、表示装置は、画像の表示面積を変更すると、変更後の表示面積を示す情報を各端末装置に送信し、各端末装置は、表示装置から通知された表示面積を示す情報に基づいて画像データのデータ量を制御する。従って、各端末装置は、変更された表示面積に対応したデータ量で画像データを送信することができる。
【０００７】
また、本発明は、前記表示制御部は、前記第１の画像の表示面積を変更した場合に、変更後の前記第１の画像の表示面積に基づき、前記第１の端末装置が前記表示装置に送信する前記第１の画像データのデータ量を決定して前記第１の端末装置に通知し、前記第２の画像の表示面積を変更した場合に、変更後の前記第２の画像の表示面積に基づき、前記第２の端末装置が前記表示装置に送信する前記第２の画像データのデータ量を決定して前記第２の端末装置に通知する。
本発明によれば、表示装置は、画像の表示面積を変更すると、変更後の表示面積に基づき、端末装置が表示装置に送信する画像データのデータ量を決定して端末装置に通知する。従って、各端末装置は、変更された表示面積に対応したデータ量で画像データを送信することができる。
【０００８】
また、本発明は、前記表示制御部は、前記第１の画像の表示面積を変更するごとに、変更後の前記第１の画像の表示面積を示す情報を前記第１の端末装置に送信し、前記第２の画像の表示面積を変更するごとに、変更後の前記第２の画像の表示面積を示す情報を前記第２の端末装置に送信する。
本発明によれば、画像の表示面積が変更されるごとに、変更後の画像の表示面積を示す情報が端末装置に送信される。従って、画像の表示面積が変更されても、端末装置が表示装置に送信する画像データのデータ量を、変更された画像の表示面積に応じた適切な量に調整することができる。
【０００９】
また、本発明は、前記表示制御部は、前記第１の画像の表示面積を変更するごとに、変更後の前記第１の画像の表示面積に基づき、前記第１の端末装置が前記表示装置に送信する前記第１の画像データのデータ量を決定して前記第１の端末装置に通知し、前記第２の画像の表示面積を変更するごとに、変更後の前記第２の画像の表示面積に基づき、前記第２の端末装置が前記表示装置に送信する前記第２の画像データのデータ量を決定して前記第２の端末装置に通知する。
本発明によれば、表示装置が、画像の表示面積を変更すると、変更した表示面積に応じたデータ量を決定して端末装置に通知する。従って、画像の表示面積が変更されても、端末装置が表示装置に送信する画像データのデータ量を、端末装置が表示装置に送信する画像データのデータ量を、変更された画像の表示面積に応じた適切な量に調整することができる。
【００１０】
また、本発明は、前記表示部は、前記第１の画像及び前記第２の画像を表示面の表示領域に表示し、前記表示制御部は、前記第１の画像の表示面積を変更した場合に、前記表示領域全体の面積と、前記表示領域に表示される前記第１の画像の表示面積とを示す情報を前記第１の端末装置に送信し、前記第２の画像の表示面積を変更した場合に、前記表示領域全体の面積と、前記表示領域に表示される前記第２の画像の表示面積とを示す情報を前記第２の端末装置に送信し、前記第１制御部は、前記表示装置から受信した前記表示領域全体の面積と、前記第１の画像の表示面積とを示す情報に基づき、前記表示領域全体の面積と、前記第１の画像の表示面積との面積比により前記表示装置に送信する前記第１の画像データのデータ量を決定し、前記第２制御部は、前記表示装置から受信した前記表示領域全体の面積と、前記第２の画像の表示面積との面積比により前記表示装置に送信する前記第２の画像データのデータ量を決定する。
本発明によれば、表示領域全体の面積と、第１の画像又は第２の画像の表示面積との面積比に基づいて、第１又は第２の端末装置が表示装置に送信する画像データのデータ量が決定される。従って、第１又は第２の端末装置から表示装置への画像データの送信を効率的に行い、表示装置での画像の表示に生じる遅延を低減することができる。
【００１１】
また、本発明は、前記第１制御部は、前記第１の画像データのデータ量が決定した前記データ量となるように、前記第１の画像データの解像度を変換又はフレームレートを変換し、前記第２制御部は、前記第２の画像データのデータ量が決定した前記データ量となるように、前記第２の画像データの解像度を変換又はフレームレートを変換する。
本発明によれば、決定された第１の画像データのデータ量となるように第１の画像データの解像度又はフレームレートが変換され、決定された第２の画像データのデータ量となるように第２の画像データの解像度又はフレームレートが変換される。従って、表示装置への画像データの送信を、遅延を生じることなく行うことができる。
【００１２】
また、本発明は、前記表示部は、前記第１の画像及び前記第２の画像を表示面に表示し、前記表示制御部は、前記第１の画像の表示面積を変更した場合に、前記表示領域全体の面積と、前記第１の画像の表示面積との面積比に基づき、前記第１の端末装置が前記表示装置に送信する前記第１の画像データのデータ量を決定し、前記第２の画像の表示面積を変更した場合に、前記表示領域全体の面積と、前記第２の画像の表示面積との面積比に基づき、前記第２の端末装置が前記表示装置に送信する前記第２の画像データのデータ量を決定する。
本発明によれば、表示領域全体の面積と、第１の画像又は第２の画像の表示面積との面積比に基づいて、第１又は第２の端末装置が表示装置に送信する画像データのデータ量が決定される。従って、第１又は第２の端末装置から表示装置への画像データの送信を効率的に行い、表示装置の表示する画像に遅延が生じないようにすることができる。表示装置において、画像が表示されるまでの遅延時間を低減することができる。
【００１３】
また、本発明は、前記第１制御部は、前記第１の画像データのデータ量が、前記表示装置から通知されたデータ量となるように前記第１の画像データの解像度を変換又はフレームレートを変換し、前記第２制御部は、前記第２の画像データのデータ量が、前記表示部から通知されたデータ量となるように前記第２の画像データの解像度を変換又はフレームレートを変換する。
本発明によれば、決定された第１の画像データのデータ量となるように第１の画像データの解像度又はフレームレートが変換され、決定された第２の画像データのデータ量となるように第２の画像データの解像度又はフレームレートが変換される。従って、表示装置への画像データの送信を、遅延を生じることなく行うことができる。
【００１４】
上記課題を解決するため、本発明は、第１の端末装置及び第２の端末装置と通信を行う通信部と、前記第１の端末装置から受信した第１の画像データに基づく第１の画像、及び前記第２の端末装置から受信した第２の画像データに基づく第２の画像を表示させる表示部と、前記第１の画像及び前記第２の画像の少なくとも一方の表示面積を変更する表示制御部と、を備え、前記表示制御部は、前記第１の画像の表示面積を変更した場合に、変更した前記第１の画像の表示面積を示す情報を前記第１の端末装置に送信し、前記第２の画像の表示面積を変更した場合に、変更した前記第２の画像の表示面積を示す情報を前記第２の端末装置に送信する。
本発明によれば、表示装置において複数の画像を表示する場合に、表示される画像の面積に応じて、第１及び第２の端末装置が表示装置に送信する画像データのデータ量が決定される。従って、表示装置が表示する画像データを複数の端末装置により表示装置に送信する場合に、表示装置に送信する画像データのデータ量を、各端末装置に好適に配分することができる。このため、表示装置が端末装置からデータを受信して表示する場合に、表示装置が受信するデータ量を効果的に抑制することができる。
【００１５】
上記課題を解決するため、本発明は、第１の端末装置及び第２の端末装置と通信を行うステップと、前記第１の端末装置から受信した第１の画像データに基づく第１の画像、及び前記第２の端末装置から受信した第２の画像データに基づく第２の画像を表示させるステップと、表示された前記第１の画像及び前記第２の画像の少なくとも一方の表示面積を変更するステップと、前記第１の画像の表示面積が変更された場合に、変更された前記第１の画像の表示面積を示す情報を前記第１の端末装置に送信するステップと、前記第２の画像の表示面積が変更された場合に、変更された前記第２の画像の表示面積を示す情報を前記第２の端末装置に送信するステップと、を有する。
本発明によれば、表示装置において複数の画像を表示する場合に、表示される画像の面積に応じて、第１及び第２の端末装置が表示装置に送信する画像データのデータ量が決定される。従って、表示装置が表示する画像データを複数の端末装置により表示装置に送信する場合に、表示装置に送信する画像データのデータ量を、各端末装置に好適に配分することができる。このため、表示装置が端末装置からデータを受信して表示する場合に、表示装置が受信するデータ量を効果的に抑制することができる。
【００１６】
上記課題を解決するため、本発明は、コンピューターに、第１の端末装置から受信した第１の画像データに基づく第１の画像と、第２の端末装置から受信した第２の画像データに基づく第２の画像とを表示させる手順と、表示された前記第１の画像及び前記第２の画像の少なくとも一方の表示面積を変更する手順と、前記第１の画像の表示面積が変更された場合に、変更された前記第１の画像の表示面積を示す情報を前記第１の端末装置に送信する手順と、前記第２の画像の表示面積が変更された場合に、変更された前記第２の画像の表示面積を示す情報を前記第２の端末装置に送信する手順と、を実行させる。
本発明によれば、表示装置において複数の画像を表示する場合に、表示される画像の面積に応じて、第１及び第２の端末装置が表示装置に送信する画像データのデータ量が決定される。従って、表示装置が表示する画像データを複数の端末装置により表示装置に送信する場合に、表示装置に送信する画像データのデータ量を、各端末装置に好適に配分することができる。このため、表示装置が端末装置からデータを受信して表示する場合に、表示装置が受信するデータ量を効果的に抑制することができる。
【図面の簡単な説明】
【００１７】
【図１】表示システムの構成を示す構成図。
【図２】ＰＣの構成を示すブロック図。
【図３】表示システムの構成を示す構成図。
【図４】分割領域設定画面を示す図。
【図５】表示領域を４分割した状態を示す図。
【図６】表示領域を４分割し、１つの領域を非表示領域とした状態を示す図。
【図７】プロジェクターの動作を示すフローチャート。
【図８】ＰＣの動作を示すフローチャート。
【発明を実施するための形態】
【００１８】
以下、添付図面を参照して本発明の実施形態について説明する。
【００１９】
［第１実施形態］
図１は、第１実施形態の表示システム１の構成を示す構成図である。
本実施形態の表示システム１は、複数のＰＣ（Personal Computer）１００Ａ〜１００Ｄと、プロジェクター２００とを備え、これらの装置がネットワーク１０に接続された構成を備える。以下では、ＰＣ１００Ａ〜１００Ｄを区別することなく総称して呼ぶ場合に、ＰＣ１００と表記する。プロジェクター２００は、本発明の「表示装置」に相当する。ＰＣ１００Ａ〜１００Ｄは、本発明の「第１の端末装置」、「第２の端末装置」及び「端末装置」に相当する。
各ＰＣ１００は、プロジェクター２００に画像データ（第１の画像データ又は第２の画像データ）を供給する画像供給装置であり、プロジェクター２００は、ＰＣ１００から供給される画像データに基づく画像を投射対象に投射する。本実施形態は、ネットワーク１０に画像供給装置としてのＰＣ１００を４台接続した場合を示すが、ネットワーク１０に接続するＰＣ１００の台数は任意である。また、本実施形態は、投射対象がスクリーンＳＣである場合を例にして説明するが、プロジェクター２００が画像を投射する投射対象は、スクリーンＳＣに限定されない。投射対象は、一様な平面であってもよいし、曲面、不連続面あるいは凹凸を有する面などであってもよい。具体的には、建物の壁面や物体の表面を投射対象とすることができる。スクリーンＳＣは、本発明の「表示面」に相当する。
【００２０】
ネットワーク１０は、例えば、Ｅｔｈｅｒｎｅｔ（登録商標）規格に準拠して構成されたＬＡＮ（Local Area Network）等の双方向通信可能なネットワークであり、ＰＣ１００Ａ〜１００Ｄ及びプロジェクター２００を相互に通信可能に接続する。本実施形態では、ネットワーク１０がＬＡＮの有線通信回線により構成される場合について説明するが、ネットワーク１０は、無線ＬＡＮ等の無線通信回線により構成することも可能である。
【００２１】
プロジェクター２００は、スクリーンＳＣの表示領域２０を複数に分割し、分割された各表示領域（以下、分割領域という）に、複数のＰＣ１００のそれぞれから入力される画像を並べて表示する、いわゆる多画面表示機能を備える。表示領域２０は、プロジェクター２００が画像を投射可能なスクリーンＳＣ上の最大領域を指す。
【００２２】
図１には、スクリーンＳＣ上の表示領域２０を４分割した状態を示す。
スクリーンＳＣ上の表示領域２０は、分割領域２１、分割領域２２、分割領域２３及び分割領域２４の４つの領域に分割され、各分割領域２１〜２４に、各ＰＣ１００Ａ〜１００Ｄから供給される画像データに基づく画像がそれぞれ投射される。
図１には、表示領域２０を４分割した場合を示すが、表示領域２０の分割数は任意である。すなわち、表示領域２０を２分割することも可能であるし、６分割することも可能である。また、表示領域２０を分割せずに、表示領域２０の全体に、ＰＣ１００Ａ〜１００Ｄのうちから選択した１台のＰＣ１００から供給される画像を投射することも可能である。
【００２３】
図２は、ＰＣ１００の構成を示すブロック図である。
ＰＣ１００は、制御部１１０、記憶部１２０、入力デバイス１３１、入力インターフェース部（以下、インターフェースをＩ／Ｆと略記する）１３２、表示制御部１４１、表示部１４２、通信Ｉ／Ｆ部１５０を備える。制御部１１０、記憶部１２０、入力Ｉ／Ｆ部１３２、表示制御部１４１及び通信Ｉ／Ｆ部１５０は、それぞれ内部バス１６０に接続される。制御部１１０は、本発明の「第１制御部」又は「第２制御部」に相当する。
【００２４】
制御部１１０は、ＲＯＭ１１１、ＲＡＭ１１２及びＣＰＵ１１３を備える。
ＲＯＭ１１１は、ＣＰＵ１１３が実行する基本制御プログラム（ＯＳ：Operating System）や、データを不揮発的に記憶する。ＲＡＭ１１２には、ＲＯＭ１１１から読み出されたＯＳのプログラムや、記憶部１２０から読み出されたアプリケーションプログラムがＣＰＵ１１３により展開される。また、ＲＡＭ１１２は、ＣＰＵ１１３が行うデータ処理の作業領域として使用される。ＣＰＵ１１３は、ＯＳやアプリケーションプログラムを実行してデータ処理を行い、ＰＣ１００の各部を制御する。
【００２５】
記憶部１２０は、制御部１１０が実行するアプリケーションプログラムや、画像データを記憶する。本実施形態では、プロジェクター２００の多画面表示機能を制御可能なアプリケーションプログラムとして、プロジェクター制御プログラム１２１を記憶する。
【００２６】
入力デバイス１３１は、キーボード、又はマウスやデジタイザー等のポインティングデバイスである。入力Ｉ／Ｆ部１３２は、コネクターや電源供給回路を備え、コネクターにより入力デバイス１３１に接続される。入力Ｉ／Ｆ部１３２は、例えば、ＵＳＢインターフェース等の入力デバイス用の汎用インターフェースで構成され、入力デバイス１３１による操作を検出して、検出した操作に応じた操作信号を制御部１１０に出力する。
【００２７】
表示制御部１１０は、モニターやディスプレイ等の表示部１４２に接続され、表示部１４２に画像を表示させるための表示信号を生成して表示部１４２に出力する。
【００２８】
通信Ｉ／Ｆ部１５０は、ＰＣ１００をネットワーク１０に接続するインターフェースである。ＰＣ１００は、通信Ｉ／Ｆ部１５０を介して、画像データや各種制御情報を含むフレームデータの送受信を行う。
【００２９】
図３は、プロジェクター２００の構成を示すブロック図である。
プロジェクター２００は、ネットワーク１０を介してフレームデータを送受信する通信Ｉ／Ｆ部２５１を備える。通信Ｉ／Ｆ部２５１は、ネットワーク１０に接続されるコネクターや通信インターフェース回路を備え、ネットワーク１０を介して接続されたＰＣ１００との通信を実行する。通信Ｉ／Ｆ部２５１は、ネットワーク１０を介してＰＣ１００からフレームデータを受信する。通信Ｉ／Ｆ部２５１は、受信したフレームデータから、フレームデータの送信元を示す情報である送信元アドレスを取り出して、後述する制御部２７０に出力する。また、通信Ｉ／Ｆ部２５１は、フレームデータに画像データが含まれる場合、フレームデータから画像データを取り出し、取り出した画像データを制御部２７０の制御に従って後述するバッファー部２５３の画像バッファー２５３Ａ〜２５３Ｄに格納する。通信Ｉ／Ｆ部２５１は、本発明の「通信部」に相当する。
なお、通信Ｉ／Ｆ部２５１は、無線ＬＡＮやＢｌｕｅｔｏｏｔｈ（登録商標）等の無線通信インターフェースとして構成することも可能である。
【００３０】
通信Ｉ／Ｆ部２５１には、フレームデータから取り出した画像データを一時的に格納するバッファー部２５３が接続される。バッファー部２５３は、画像データを、画像データの送信元のＰＣ１００ごとに格納するため、独立した格納領域である複数の画像バッファー２５３Ａ〜２５３Ｄを有する。画像バッファー２５３Ａ〜２５３Ｄは、１つの記憶領域を仮想的に分割したものであってもよい。
また、バッファー部２５３に設けられる画像バッファー２５３Ａ〜２５３Ｄの数は任意であるが、表示領域２０を分割する分割数の最大値に応じた画像バッファー２５３Ａ〜２５３Ｄが設けられていることが好ましい。本実施形態では、分割数の最大値が４であるため、４つの画像バッファー２５３Ａ〜２５３Ｄを設けた場合を示す。
【００３１】
プロジェクター２００は、光学的な画像の形成を行い、スクリーンＳＣに画像を投射させる表示部２１０を備える。表示部２１０は、本発明の「表示部」に相当する。
表示部２１０は、光源部２１１、光変調装置２１２及び投射光学系２１３を備える。
光源部２１１は、キセノンランプ、超高圧水銀ランプ、ＬＥＤ（Light Emitting Diode）又はレーザー光源等の光源を備える。また、光源部２１１は、光源が発した光を光変調装置２１２に導くリフレクター及び補助リフレクターを備えていてもよい。さらに、光源部２１１は、投射光の光学特性を高めるためのレンズ群、偏光板、又は光源が発した光の光量を光変調装置２１２に至る経路上で低減させる調光素子等（いずれも図示略）を備えていてもよい。
【００３２】
光源部２１１は、光源駆動部２２１により駆動される。光源駆動部２２１は、光源部２１１と、内部バス２８０とに接続される。光源駆動部２２１は、制御部２７０の制御により光源部２１１の光源を点灯及び消灯させる。
【００３３】
光変調装置２１２は、例えば、ＲＧＢの三原色に対応した３枚の液晶パネル２１５を備える。各液晶パネル２１５は、複数の表示画素がマトリクス状に配置された矩形の領域である表示画素領域（本発明の表示領域に相当する）を有する。この表示画素領域に、画像データに基づく画像が描画される。光源部２１１が発する光はＲＧＢの３色の色光に分離され、それぞれ対応する液晶パネル２１５に入射される。３枚の液晶パネル２１５は、透過型の液晶パネル２１５であり、透過する光を、表示画素領域に描画された画像により変調して画像光を生成する。各液晶パネル２１５を通過して変調された画像光は、クロスダイクロイックプリズム等の合成光学系によって合成され、投射光学系２１３に射出される。
【００３４】
光変調装置２１２は、光変調装置駆動部２２２により駆動される。光変調装置駆動部２２２は、光変調装置２１２と、内部バス２８０とに接続される。光変調装置駆動部２２２は、画像処理部２５５から入力される表示画像データに基づき、対応する液晶パネル２１５を駆動し、各液晶パネル２１５に画像を描画する。
【００３５】
投射光学系２１３は、光変調装置２１２により変調された画像光をスクリーンＳＣ方向に投射し、スクリーンＳＣ上に結像させるレンズ群を備える。また、投射光学系２１３は、スクリーンＳＣに投射される投射画像を拡大又は縮小させるズーム機構や、フォーカスの調整を行うフォーカス調整機構を備えていてもよい。
【００３６】
プロジェクター２００は、無線通信部２３０を備える。無線通信部２３０は、内部バス２８０に接続される。無線通信部２３０は、図示しないアンテナやＲＦ（Radio Frequency）回路等を備え、制御部２７０の制御の下、外部の装置との間で無線通信を実行する。無線通信部２３０の無線通信方式は、例えば無線ＬＡＮ（Local Area Network）、Ｂｌｕｅｔｏｏｔｈ、ＵＷＢ（Ultra Wide Band）、赤外線通信等の近距離無線通信方式、又は携帯電話回線を利用した無線通信方式を採用できる。
【００３７】
プロジェクター２００は、操作・表示パネル２３３、リモコン受光部２３５及び処理部２３７を備える。処理部２３７は、操作・表示パネル２３３と、リモコン受光部２３５と、内部バス２８０とに接続される。
ユーザーインターフェースとして機能する操作・表示パネル２３３には、各種の操作キーや、ＬＣＤ（Liquid Crystal Display）等を用いた表示パネルが設けられる。処理部２３７は、操作・表示パネル２３３の操作キーが操作されると、操作されたキーに対応した操作信号を制御部２７０に出力する。また、操作・表示パネル２３３には、操作・表示パネル２３３への接触を検出するタッチセンサーが重ね合わされて一体形成される。処理部２３７は、ユーザーの指等が接触した操作・表示パネル２３３の位置を入力位置として検出し、検出した入力位置に対応した操作信号を制御部２７０に出力する。
また、処理部２３７は、制御部２７０から入力される制御信号に基づいて、操作・表示パネル２３３に各種画面を表示させる。
【００３８】
リモコン受光部２３５は、リモコン５から送信される赤外線信号を受信する。リモコン５は、各種のボタンを備え、これらのボタン操作に対応して赤外線信号を送信する。処理部２３７は、リモコン受光部２３５が受光した赤外線信号をデコードして、リモコン５における操作内容を示す操作信号を生成し、制御部２７０に出力する。
【００３９】
プロジェクター２００は、画像処理系を備える。この画像処理系は、プロジェクター２００の全体を統合的に制御する制御部２７０を中心に構成され、この他に、バッファー部２５３、画像処理部２５５、フレームメモリー２５７及び記憶部２６０を備える。画像処理系を構成する制御部２７０、バッファー部２５３、画像処理部２５５及び記憶部２６０は、内部バス２８０によりデータ通信可能に相互に接続される。
【００４０】
記憶部２６０は、例えば、ハードディスク装置等の補助記憶装置である。記憶部２６０は、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替することができる。記憶部２６０は、制御部２７０が実行するアプリケーションプログラムや各種データを記憶する。
【００４１】
制御部２７０は、ハードウェアとしてＣＰＵ、ＲＯＭ及びＲＡＭ（いずれも図示略）を備える。ＲＯＭは、フラッシュＲＯＭ等の不揮発性の記憶装置であり、制御プログラム及びデータを記憶する。ＲＡＭは、ＣＰＵの作業領域を構成する。ＣＰＵは、ＲＯＭから読み出した制御プログラムをＲＡＭに展開し、展開された制御プログラムを実行してプロジェクター２００の各部を制御する。
制御部２７０は、機能ブロックとして、投射制御部２７１、通信制御部２７２及び表示制御部２７３を備える。これらの機能ブロックは、ＣＰＵが制御プログラムを実行することで実現される制御部２７０の機能を示すブロックである。
【００４２】
投射制御部２７１は、プロジェクター２００の各部を制御して、スクリーンＳＣへの画像の投射を制御する。例えば、投射制御部２７１は、光変調装置駆動部２２２を制御して、光変調装置２１２の液晶パネル２１５に、画像データに基づく画像を描画させる。
また、投射制御部２７１は、光源駆動部２２１を制御して、光源部２１１の点灯と消灯とを制御する。また、投射制御部２７１は、光源駆動部２２１を制御して、点灯させた光源部２１１の輝度を調整する。また、投射制御部２７１は、不図示のモーターを駆動して、投射光学系２１３に搭載されたズーム機構やフォーカス調整機構を動作させ、ズームやフォーカスの調整を行う。
【００４３】
通信制御部２７２は、通信Ｉ／Ｆ部２５１を制御して、プロジェクター２００とＰＣ１００との通信を制御する。また、通信制御部２７２は、通信Ｉ／Ｆ部２５１から送信元アドレスを取得し、取得した送信元アドレスに基づき通信Ｉ／Ｆ部２５１が受信したフレームデータの送信元（本実施形態では、ＰＣ１００Ａ〜１００Ｄ）を特定する。通信制御部２７２は、特定した送信元に基づいて画像データの格納先（画像バッファー２５３Ａ〜２５３Ｄのいずれか）を判定し、判定した画像データの格納先を示す情報を通信Ｉ／Ｆ部２５１に送信する。
【００４４】
表示制御部２７３は、ＰＣ１００から送信される画面設定情報を入力し、入力した画面設定情報に基づき表示情報を生成する。
画面設定情報とは、表示領域２０を分割する分割数や、分割された各分割領域の表示領域２０上での表示位置やサイズを設定した情報であり、プロジェクター制御プログラム１２１を実行するＰＣ１００Ａ〜１００Ｄのいずれかにより生成される。
【００４５】
図４は、プロジェクター制御プログラム１２１を実行するＰＣ１００の表示部１４２に表示される分割領域設定画面５０を示す図である。
分割領域設定画面５０には、表示領域２０の分割数を設定する複数のアイコン５１が表示される。ユーザーは、入力デバイス１３１を操作してアイコン５１のいずれかを選択することで、表示領域２０の分割数を設定する。ユーザーがアイコン５１を選択して、表示領域２０の分割数を選択すると、選択された分割数と同数の矩形の図形５５〜５８が、分割領域設定画面５０の設定領域５２に表示される。これらの図形５５〜５８は、分割領域のそれぞれを模式的に示す図形であり、図形５５〜５８の設定領域５２でのサイズが各分割領域のサイズに対応し、図形５５〜５８の設定領域５２での表示位置が、各分割領域の表示位置に対応する。
ユーザーは、設定領域５２に図形５５〜５８が表示されると、入力デバイス１３１を操作して、図形５５〜５８のサイズや表示位置を変更する。また、ユーザーは、入力デバイス１３１を操作して、画像を表示させない分割領域（以下、非表示領域という）の設定を行う。
【００４６】
また、ユーザーは、入力デバイス１３１を操作して、図形５５〜５８と、ＰＣ１００Ａ〜１００Ｄとを対応付ける。すなわち、ＰＣ１００Ａ〜１００Ｄから供給される画像を、各分割領域を示す図形５５〜５８のいずれに表示させるかを設定する。なお、非表示領域に設定された図形（分割領域）が存在する場合、この非表示領域に設定された図形には、ＰＣ１００が対応付けされない。
ＰＣ１００は、プロジェクター制御プログラム１２１を起動すると、プロジェクター２００に、プロジェクター２００に接続されたＰＣ１００の端末識別名称（例えば、コンピューター名）の取得要求を送信する。ＰＣ１００は、プロジェクター２００から端末識別名称を取得すると、取得した端末識別名称を分割領域設定画面５０に表示させる。ユーザーは、入力デバイス１３１を操作して、各分割領域を示す図形５５〜５８と、分割領域設定画面５０に表示された端末識別名称とを対応付ける操作を行う。
ＰＣ１００は、ユーザーの操作が完了すると、分割数、設定領域５２のサイズ（縦及び横方向のサイズ）、各分割領域を示す図形５５〜５８の設定領域５２上での表示位置やサイズ、非表示領域の設定、各分割領域を示す図形５５〜５８とＰＣ１００（端末識別名称）とを対応付けた情報を、画面設定情報としてプロジェクター２００に送信する。
【００４７】
表示制御部２７３は、ＰＣ１００から画面設定情報を受信すると、受信した画面設定情報に基づいて表示情報を生成する。
表示情報は、画像処理部２５５が、画像バッファー２５３Ａ〜２５３Ｄに格納された各画像データをフレームメモリー２５７の記憶画素領域に展開する際に使用する情報である。フレームメモリー２５７は、複数の記憶画素をマトリクス状に配置した矩形の領域である記憶画素領域を有する。
表示制御部２７３は、画面設定情報から設定領域５２のサイズを取得し、取得した設定領域５２の縦方向のサイズを、フレームメモリー２５７の縦方向のサイズに一致させるための拡大率又は縮小率（以下、縦方向拡大率という）を算出する。また、表示制御部２７３は、設定領域５２の横方向のサイズを、フレームメモリー２５７の横方向のサイズに一致させるための拡大率又は縮小率（以下、横方向拡大率という）を算出する。
次に、表示制御部２７３は、画面設定情報から各分割領域を示す図形５５〜５８の表示位置やサイズを示す情報を取り出し、取り出した各図形５５〜５８の表示位置やサイズを示す情報を、算出した縦方向拡大率及び横方向拡大率により拡大又は縮小する。これにより、各図形５５〜５８の表示位置やサイズが、各分割領域のフレームメモリー２５７の記憶画素領域上での展開位置やサイズを示す情報に変換される。
表示制御部２７３は、生成した各分割領域の記憶画素領域上での展開位置やサイズを示す情報や、非表示領域の展開位置やサイズを示す情報を、表示情報として画像処理部２５５に出力する。
【００４８】
次に、表示制御部２７３は、生成した表示情報に基づき、各分割領域の液晶パネル２１５の表示画素領域上での表示面積を算出する。本実施形態では、液晶パネル２１５の表示画素領域のサイズ（縦方向の画素数及び横方向の画素数）は、フレームメモリー２５７の記憶画素領域のサイズ（縦方向の画素数及び横方向の画素数）と同一であるとする。このため、表示制御部２７３は、生成した表示情報をそのまま使用して、各分割領域の表示画素領域での表示面積を算出する。
【００４９】
次に、表示制御部２７３は、各分割領域の表示画素領域での表示面積を算出すると、算出した各分割領域の表示面積と、表示画素領域全体の表示面積との比（以下、面積比という）を算出する。例えば、分割領域の設定が、表示画素領域を均等に４分割する設定であった場合、各分割領域と表示画素領域全体との面積比は、１／４となる。
また、表示制御部２７３は、非表示領域に設定された分割領域がある場合、非表示領域に設定された分割領域の表示面積を除いた表示画素領域の面積を、表示画素領域全体の面積として面積比を計算する。例えば、液晶パネル２１５の表示画素領域を均等に４分割し、４分割された分割領域のいずれか１つの領域が非表示領域に設定されている場合、分割領域の表示面積と、表示画素領域の面積との面積比は、１／３となる。
【００５０】
表示制御部２７３は、分割領域ごとに面積比を算出すると、算出した面積比を示す情報を通信制御部２７２によりＰＣ１００に送信する。通信制御部２７２は、分割領域の面積比を示す情報を、この分割領域に表示させる画像データをプロジェクター２００に供給するＰＣ１００に送信する。また、通信制御部２７２は、面積比を示す情報と共に、最大データ伝送速度を示す情報を各ＰＣ１００に送信してもよい。
最大データ伝送速度は、１台のＰＣ１００が、ネットワーク１０の通信帯域を占有してプロジェクター２００にフレームデータを送信する場合のデータ伝送速度である。データ伝送速度は、単位時間当たりのデータ伝送量を示す情報である。データ伝送速度の単位は、例えば、Ｍｂｐｓ（megabits per second）である。データ伝送速度は、ＰＣ１００がプロジェクター２００にデータを伝送する帯域であり、プロジェクター２００が１台のＰＣ１００から受信して処理するデータ量の指標となる。表示システム１では、複数のＰＣ１００がデータを伝送するデータ伝送速度の和が、プロジェクター２００が受信して処理するデータ量の指標となる。
また、表示制御部２７３は、分割領域の表示面積を示す情報と、表示画素領域全体の表示面積とを示す情報とを、該当の分割領域に表示させる画像をプロジェクター２００に供給するＰＣ１００に送信してもよい。
【００５１】
また、プロジェクター２００が各ＰＣ１００に送信する情報は、各分割領域の液晶パネル２１５の表示画素領域上での表示面積を示す情報だけであってもよい。
例えば、各ＰＣ１００の記憶部１２０に、液晶パネル２１５の表示画素領域の面積を示す情報と、最大データ伝送速度を示す情報とを予め記憶させておく。ＰＣ１００の制御部１１０は、プロジェクター２００から受信した各分割領域の面積を示す情報と、記憶部１２０に記憶された表示画素領域の面積を示す情報とに基づいて、データ伝送速度を算出する。また、データ伝送速度は、ＰＣ１００がPｉｎｇコマンド等を使用してネットワーク１０のデータ伝送速度を測定してもよい。
【００５２】
ＰＣ１００の制御部１１０は、プロジェクター２００から面積比を示す情報と、最大データ伝送速度の情報とを受信すると、プロジェクター２００に送信するフレームデータのデータ伝送速度を算出する。
例えば、表示領域２０を均等サイズで４分割し、４台のＰＣ１００から供給される画像データに基づく画像を、４分割した各分割領域に表示させるとする。また、最大データ伝送速度が、例えば、１０Ｍｂｐｓであると仮定する。この場合、各ＰＣ１００の制御部１１０は、１０Ｍｂｐｓに、面積比である「１／４」を積算した２．５Ｍｂｐｓをデータ伝送速度の上限値に設定する。
【００５３】
図５は、表示領域２０を不均等に４分割した状態を示す図である。
図５は、一例として、４つの分割領域２１、２２、２３、２４の面積比が９：１５：６：１０である場合を示す。また、最大データ伝送速度が１０Ｍｂｐｓであるとする。この場合、各ＰＣ１００の制御部１１０は、各分割領域２１〜２４に表示させる画像データのデータ伝送速度の上限値を、例えば下記式（１）〜（４）に示すように設定する。
Ｖ２１ＭＡＸ＝１０×（９／４０）＝２．２５Ｍｂｐｓ  …（１）
Ｖ２２ＭＡＸ＝１０×（１５／４０）＝３．７５Ｍｂｐｓ  …（２）
Ｖ２３ＭＡＸ＝１０×（６／４０）＝１．５Ｍｂｐｓ  …（３）
Ｖ２４ＭＡＸ＝１０×（１０／４０）＝２．５Ｍｂｐｓ  …（４）
上記式で、分割領域２１に表示させる画像データのデータ伝送速度の上限をＶ２１ＭＡＸ、分割領域２２に表示させる画像データのデータ伝送速度の上限をＶ２２ＭＡＸとする。また、分割領域２３に表示させる画像データのデータ伝送速度の上限をＶ２３ＭＡＸ、分割領域２４に表示させる画像データのデータ伝送速度の上限をＶ２４ＭＡＸとする。
【００５４】
図６は、表示領域２０を不均等に４分割し、４分割した分割領域の１つを非表示領域とした場合を示す。
図６は、一例として、４つの分割領域２１、２２、２３、２４の面積比が９：１５：６：１０であり、分割領域２２が非表示領域に設定されている場合を示す。また、最大データ伝送速度が１０Ｍｂｐｓであるとする。この場合、各ＰＣ１００の制御部１１０は、各分割領域２１、２３、２４に表示させる画像データのデータ伝送速度の上限値を、例えば下記式（５）〜（７）に示すように設定する。
Ｖ２１ＭＡＸ＝１０×（９／２５）＝３．６Ｍｂｐｓ  …（５）
Ｖ２３ＭＡＸ＝１０×（６／２５）＝２．４Ｍｂｐｓ  …（６）
Ｖ２４ＭＡＸ＝１０×（１０／２５）＝４．０Ｍｂｐｓ  …（７）
上記式で、分割領域２１に表示させる画像データのデータ伝送速度の上限をＶ２１ＭＡＸ、分割領域２３に表示させる画像データのデータ伝送速度の上限をＶ２３ＭＡＸ、分割領域２４に表示させる画像データのデータ伝送速度の上限をＶ２４ＭＡＸとする。
【００５５】
ＰＣ１００の制御部１１０は、プロジェクター２００から面積比を示す情報を受信し、画像データの送信開始の指示を受け付けると、ユーザーにより選択された画像データが含まれるフレームデータを生成してプロジェクター２００に送信する。この際、制御部１１０は、通信Ｉ／Ｆ部１５０を制御して、プロジェクター２００に送信されるフレームデータのデータ伝送速度が、面積比に基づいて算出したデータ伝送速度の上限値を超えないようにデータ伝送速度を制限する。
【００５６】
また、ＰＣ１００の制御部１１０は、面積比に基づいてデータ伝送速度の上限値を算出すると、算出したデータ伝送速度の上限値に基づき、プロジェクター２００に送信する画像データに、解像度変換処理や、フレームレート変換処理を行ってもよい。すなわち、算出したデータ伝送速度の上限値が小さい場合、画像データの送信に時間がかかり、プロジェクター２００での画像の表示に遅延が生じる。このため、ＰＣ１００の制御部１１０は、例えば、算出したデータ伝送速度の上限値と予め設定されたしきい値とを比較し、データ伝送速度の上限値がしきい値よりも小さい場合に、画像データに、解像度変換処理、フレームレート変換処理を行う。なお、データ伝送速度の上限値との比較に用いるしきい値は、１つであってもよいし、値の異なる複数のしきい値であってもよい。
解像度変換処理は、画像データの解像度を下げる処理であり、フレームレート変換処理は、画像データのフレームレートを下げる処理である。
ＰＣ１００は、解像度変換処理やフレームレート変換処理を行った画像データをプロジェクター２００に送信する。これにより、ＰＣ１００がプロジェクター２００に送信する画像データのデータ量を削減することできる。このため、データ伝送速度が低く設定されても、プロジェクター２００での画像の表示において遅延が生じないようにすることができる。
また、プロジェクター２００が、各ＰＣ１００に、画像データを表示する分割領域のサイズを通知し、ＰＣ１００の制御部１１０が、画像データのサイズを、プロジェクター２００から通知されたサイズにサイズ変換するようにしてもよい。ＰＣ１００の制御部１１０は、サイズ変換した画像データをプロジェクター２００に送信する。
【００５７】
画像処理部２５５は、画像バッファー２５３Ａ〜２５３Ｄから画像データを読み出し、読み出した画像データを、表示制御部２７３から取得した表示情報に従ってフレームメモリー２５７の記憶画素領域に展開する。この際、画像処理部２５５は、読み出した画像データのサイズ及びアスペクト比が、この読み出した画像データを展開するフレームメモリー２５７の領域（以下、部分領域という）のサイズ及びアスペクト比と一致しない場合、画像データのサイズ変換処理を行う。画像処理部２５５は、画像データの拡大又は縮小や、アスペクト比の変更等のサイズ変更処理を行って、画像データのサイズ及びアスペクト比を、この画像データを展開予定のフレームメモリー２５７の部分領域のサイズ及びアスペクト比に一致させる。
【００５８】
画像処理部２５５は、画像バッファー２５３Ａ〜２５３Ｄのそれぞれから画像データを読み出し、１フレーム分の画像データをフレームメモリー２５７の記憶画素領域に展開すると、展開された画像データに、例えば、色変換、色むら補正、ガンマ補正、輝度補正等の画像処理を施す。画像処理部２５５は、画像処理を施した画像データをフレームメモリー２５７から読み出し、表示用画像データとして光変調装置駆動部２２２に出力する。
【００５９】
また、ユーザーが、ＰＣ１００の入力デバイス１３１又はプロジェクター２００の操作・表示パネル２３３を操作して、分割領域の表示面積を変更する操作が行われるごとに、プロジェクター２００の表示制御部２７３は、変更後の分割領域の液晶パネル２１５上での面積を算出する。そして、表示制御部２７３は、算出した分割領域の面積と、液晶パネル２１５の表示画素領域の面積との面積比を算出し、算出した面積比を示す情報を、この分割領域に表示させる画像データをプロジェクター２００に供給するＰＣ１００に送信するとよい。
【００６０】
図７は、プロジェクター２００の動作を示すフローチャートである。
プロジェクター２００の制御部２７０は、ステップＳ１において、電源がオンされ起動したＰＣ１００から接続要求を受信したか否かを判定する（ステップＳ１）。制御部２７０は、ＰＣ１００から接続要求を受信していない場合（ステップＳ１／ＮＯ）、接続済みのＰＣ１００が存在するか否かを判定する（ステップＳ２）。接続済みのＰＣ１００が存在しない場合（ステップＳ２／ＮＯ）、制御部２７０は、ステップＳ１の判定に戻る。また、接続済みのＰＣ１００が存在する場合（ステップＳ２／ＹＥＳ）、プロジェクター２００は、ステップＳ６の判定に移行する。
【００６１】
また、ステップＳ１の判定において、ＰＣ１００から接続要求を受信したと判定した場合（ステップＳ１／ＹＥＳ）、プロジェクター２００の制御部２７０は、接続要求の送信元のＰＣ１００に接続確立応答を送信する（ステップＳ３）。これにより、プロジェクター２００と、接続要求の送信元のＰＣ１００との接続が確立された状態となる。
【００６２】
次に、プロジェクター２００は、接続が確立したＰＣ１００に、コンピューター名等の端末識別情報の送信を要求し（ステップＳ４）、ＰＣ１００から端末識別情報を受信するまで待機する（ステップＳ５）。端末識別情報は、ＰＣ１００において分割領域の設定を行う場合に、分割領域設定画面５０に表示させる情報である。制御部２７０は、ＰＣ１００から端末識別情報を受信していない場合（ステップＳ５／ＮＯ）、端末識別情報を受信するまで待機状態を継続する。
また、制御部２７０は、ＰＣ１００から端末識別情報を受信すると（ステップＳ５／ＹＥＳ）、接続したＰＣ１００から端末識別情報の取得要求を受信したか否かを判定する（ステップＳ６）。端末識別情報の取得要求を受信していない場合（ステップＳ６／ＮＯ）、制御部２７０は、各分割領域と、液晶パネル２１５の表示画素領域全体との面積比を示す情報を接続したＰＣ１００に送信済みであるか否かを判定する（ステップＳ７）。面積比を示す情報を接続したＰＣ１００に送信していない場合（ステップＳ７／ＮＯ）、制御部２７０は、ステップＳ６の判定に戻る。また、面積比を示す情報を接続したＰＣ１００に送信済みである場合（ステップＳ７／ＹＥＳ）、制御部２７０は、ステップＳ１３の判定に移行する。
【００６３】
また、制御部２７０は、ステップＳ６において、端末識別情報の取得要求を受信した場合（ステップＳ６／ＹＥＳ）、接続済みのＰＣ１００の端末識別情報を、取得要求の送信元のＰＣ１００に送信する（ステップＳ８）。次に、制御部２７０は、端末識別情報を送信したＰＣ１００から画面設定情報を受信したか否かを判定する（ステップＳ９）。画面設定情報を受信していない場合（ステップＳ９／ＮＯ）、制御部２７０は、画面設定情報を受信するまで待機する。
【００６４】
また、制御部２７０は、画面設定情報を受信すると（ステップＳ９／ＹＥＳ）、受信した画面設定情報に基づいて表示情報を生成する。制御部２７０は、受信した画面設定情報に基づいて、各分割領域のフレームメモリー２７３上でのサイズや表示位置を示す情報を表示情報として生成する。制御部２７０は、表示情報を生成すると、生成した表示情報を使用して、各分割領域の表示画素領域での表示面積を算出する（ステップＳ１０）。各分割領域の表示面積を算出すると、制御部２７０は、分割領域の表示面積と、液晶パネル２１５の表示画素領域全体の面積との比を、分割領域ごとに算出する（ステップＳ１１）。そして、制御部２７０は、算出した各分割領域の面積比を、各分割領域に表示する画像データをプロジェクター２００に送信するＰＣ１００に送信する（ステップＳ１２）。
【００６５】
その後、プロジェクター２００は、ＰＣ１００からフレームデータを受信するまで待機する（ステップＳ１３）。プロジェクター２００は、フレームデータを受信していない場合（ステップＳ１３／ＮＯ）、フレームデータを受信するまで待機する（ステップＳ１３）。プロジェクター２００は、ＰＣ１００からフレームデータを受信すると（ステップＳ１３／ＹＥＳ）、通信Ｉ／Ｆ部２５１において、受信したフレームデータから、フレームデータの送信元を示す送信元アドレスと、画像データとを取り出す。通信Ｉ／Ｆ部２５１は、取り出した送信元アドレスを制御部２７０に出力する。
【００６６】
制御部２７０は、通信Ｉ／Ｆ部２５１から入力された送信元アドレスに基づき、受信した画像データを格納する画像バッファー２５３Ａ〜２５３Ｄを指定する情報を生成する。制御部２７０は、生成した画像バッファー２５３Ａ〜２５３Ｄを指定する情報を通信Ｉ／Ｆ部２５１に出力する。通信Ｉ／Ｆ部２５１は、入力された情報に従って、フレームデータから取り出した画像データを画像バッファー２５３Ａ〜２５３Ｄのいずれかに格納する。
【００６７】
次に、制御部２７０は、画像データの送信元として設定されたすべてのＰＣ１００から画像データを受信し、受信した画像データが対応する画像バッファー２５３Ａ〜２５３Ｄに格納されたか否かを判定する（ステップＳ１４）。
制御部２７０は、送信元として設定されたすべてのＰＣ１００から画像データを受信していない場合（ステップＳ１４／ＮＯ）、ステップＳ１３の判定に戻る。また、制御部２７０は、送信元として設定されたすべてのＰＣ１００から画像データを受信した場合（ステップＳ１４／ＹＥＳ）、画像処理部２５５に画像処理を実行させる。画像処理部２５５は、各バッファー部２５３から画像データを読み出し、読み出した画像データに変換処理等の処理を行い、変換後の画像データをフレームメモリー２５７に展開する（ステップＳ１５）。画像処理部２５５は、１フレーム分の画像データがフレームメモリー２５７に展開されると、展開された画像データを表示画像データとして光変調装置駆動部２２２に出力する。光変調装置駆動部２２２は、投射制御部２７１の制御に従って、光変調装置２１２の液晶パネル２１５に、画像データに基づく画像を描画する。
そして、光源部２１１から射出された光が、光変調装置２１２の液晶パネル２１５により画像光に変調され、変調された画像光が投射光学系２１３によりスクリーンＳＣに投射される。
例えば、図１に示すように画像データを供給するＰＣ１００として、ＰＣ１００Ａ〜１００Ｄの４台が用意され、スクリーンＳＣの表示領域２０を４分割し、分割された各分割領域２１〜２４に、ＰＣ１００Ａ〜１００Ｄから供給される画像データに基づく画像を表示させる設定であるとする。この場合、各分割領域２１〜２４に、各ＰＣ１００Ａ〜１００Ｄから供給される画像データに基づく画像が表示されることとなる。
【００６８】
次に、制御部２７０は、分割領域の表示面積を変更する要求を受け付けたか否かを判定する（ステップＳ１６）。変更する要求を受け付けていない場合（ステップＳ１６／ＮＯ）、制御部２７０は、スクリーンＳＣへの画像投射を終了する操作を受け付けたか否かを判定する（ステップＳ１７）。画像投射を終了する操作を受け付けていない場合（ステップＳ１７／ＮＯ）、制御部２７０は、ステップＳ１３の判定に移行する。また、画像投射を終了する操作を受け付けた場合（ステップＳ１７／ＹＥＳ）、制御部２７０は、この処理フローを終了させる。
【００６９】
また、ステップＳ１６の判定において、分割領域の面積を変更する要求を受け付けた場合（ステップＳ１６／ＹＥＳ）、制御部２７０は、分割領域の面積を変更する処理を行う。分割領域の面積の変更は、ＰＣ１００Ａ〜１００Ｄのいずれかにおいて行ってもよいし、プロジェクター２００において行うこともできる。
例えば、ＰＣ１００において、分割領域の面積を変更する場合、ＰＣ１００の表示部１４２に、図４に示す分割領域設定画面５０を再度表示させ、入力デバイス１３１によりユーザーの操作を受け付ける。制御部１１０は、入力デバイス１３１により受け付けた操作に応じて、分割領域を示す図形５５〜５８の表示位置やサイズを変更する。そして、制御部１１０は、ユーザーの操作が完了すると、変更された分割領域を示す図形５５〜５８の表示位置やサイズに基づいて、各分割領域の表示位置やサイズを示す情報を生成し、生成した情報を画面設定情報としてプロジェクター２００に送信する。
【００７０】
また、プロジェクター２００において、分割領域の面積を変更する場合、制御部２７０は、操作・表示パネル２３３に、変更前の各分割領域に対応した図形を表示させる。操作・表示パネル２３３に表示される図形の数は、変更前の分割領域の数と同数であり、各図形の操作・表示パネル２３３での表示位置及びサイズが、各分割領域の表示領域２０での表示位置及びサイズに対応する。
ユーザーは、操作・表示パネル２３３を操作して、表示面積を変更したい図形を選択し、選択した図形の表示位置やサイズを変更する。制御部２７０は、操作・表示パネル２３３の操作を受け付けると（ステップＳ１８）、受け付けた操作に応じて、分割領域を示す図形の表示位置やサイズを変更する。そして、制御部１１０は、ユーザーの操作が完了すると、変更された分割領域を示す図形の表示位置やサイズに基づいて、表示面積を変更した後の各分割領域の表示面積を再度算出する（ステップＳ１０）。
【００７１】
図８は、ＰＣ１００の動作を示すフローチャートである。
ＰＣ１００の電源がオンされ、ユーザーによる入力デバイス１３１の操作により、プロジェクター制御プログラム１２１が起動されると（ステップＴ１）、ＰＣ１００の制御部１１０は、プロジェクター２００に対して接続要求を送信する（ステップＴ２）。そして、制御部２７０は、プロジェクター２００から送信される接続確立応答の受信待ち状態となる（ステップＴ３）。制御部２７０は、プロジェクター２００から接続確立応答を受信していない場合（ステップＴ３／ＮＯ）、受信待ち状態を継続する。
また、制御部１１０は、プロジェクター２００から接続確立応答を受信すると（ステップＴ３／ＹＥＳ）、プロジェクター２００から続けて受信する端末識別情報の送信要求に応じて、ＰＣ１００に設定されたコンピューター名である端末識別情報をプロジェクター２００に送信する（ステップＴ４）。
【００７２】
端末識別情報をプロジェクター２００に送信すると、制御部１１０は、入力デバイス１３１により分割領域設定画面５０の表示要求を受け付けたか否かを判定する（ステップＴ５）。制御部１１０は、分割領域設定画面５０の表示要求を受け付けていない場合（ステップＴ５／ＮＯ）、ステップＴ１１において面積比を示す情報をプロジェクター２００から受信したか否かを判定する（ステップＴ１１）。ステップＴ１１の判定については後述する。
また、制御部１１０は、分割領域設定画面５０の表示要求を受け付けた場合（ステップＴ５／ＹＥＳ）、分割領域設定画面５０を表示部１４２に表示させ（ステップＴ６）、プロジェクター２００に接続済みのＰＣ１００の端末識別情報の取得要求を送信する（ステップＴ７）。そして、制御部１１０は、プロジェクター２００から端末識別情報を受信するまで待機する（ステップＴ８）。
【００７３】
制御部１１０は、プロジェクター２００から端末識別情報を受信していない場合（ステップＴ８／ＮＯ）、待機状態を継続する。また、制御部１１０は、プロジェクター２００から端末識別情報を受信すると（ステップＴ８／ＹＥＳ）、分割領域設定画面５０に、プロジェクター２００に接続済みのＰＣ１００の端末識別情報を表示させる。そして、制御部１１０は、入力デバイス１３１により受け付けた操作に従って、分割領域設定画面５０の表示を変更する。例えば、制御部１１０は、分割領域設定画面５０の設定領域５２に表示させる分割領域を示す図形の数やサイズ、表示位置を変更する。また、制御部１１０は、入力デバイス１３１により非表示領域の設定を受け付けた場合、非表示領域に設定する分割領域を示す情報を生成し、ＲＡＭ１１２に記憶させる。
【００７４】
また、ＰＣ１００は、入力デバイス１３１により設定完了の操作を受け付けたか否かを判定する（ステップＴ９）。受け付けていない場合（ステップＴ９／ＮＯ）、制御部１１０は、入力デバイス１３１により受け付けた操作に従って、分割領域設定画面５０の表示を変更する。また、制御部１１０は、入力デバイス１３１により設定完了の操作を受け付けた場合（ステップＴ９／ＹＥＳ）、設定された分割領域の分割数、設定領域５２のサイズ（縦及び横方向のサイズ）、各分割領域を示す図形の設定領域５２上での表示位置やサイズ、非表示領域の設定、各分割領域を示す図形とＰＣ１００（端末識別名称）とを対応付けた情報を、画面設定情報としてプロジェクター２００に送信する（ステップＴ１０）。
【００７５】
次に、制御部１１０は、プロジェクター２００から面積比を示す情報を受信したか否かを判定する（ステップＴ１１）。面積比を示す情報を受信していない場合（ステップＴ１１／ＮＯ）、制御部１１０は、プロジェクター２００から面積比を示す情報を受信するまで待機する（ステップＴ１１）。
また、制御部１１０は、プロジェクター２００から面積比を示す情報を受信すると（ステップＴ１１／ＹＥＳ）、受信した面積比を示す情報に基づいて、プロジェクター２００に送信するフレームデータのデータ伝送速度の上限値を算出する（ステップＴ１２）。制御部１１０は、データ伝送速度の上限値を算出すると、ユーザーにより選択された画像データが含まれるフレームデータを生成し、プロジェクター２００へのフレームデータの送信を開始する（ステップＴ１３）。このとき、制御部１１０は、フレームデータのプロジェクター２００への送信において、データ伝送速度が、算出したデータ伝送速度の上限値を超えないように通信Ｉ／Ｆ部１５０を制御する。
【００７６】
以上、説明したように本発明の表示システム、表示装置、表示装置の制御方法、及びプログラムを適用した実施形態は、プロジェクター２００と、プロジェクター２００に画像データを送信する複数のＰＣ１００Ａ〜１００Ｄとを備える。プロジェクター２００は、通信Ｉ／Ｆ部２５１と、表示部２１０と、表示制御部２７３とを備える。
表示部２１０は、通信Ｉ／Ｆ部２５１が複数のＰＣ１００Ａ〜１００Ｄから受信した複数の画像データに基づく画像を表示領域２０の各分割領域２１〜２４に表示する。
表示制御部２７３は、分割領域２１〜２４のいずれかの面積を変更する。
分割領域２１〜２４のいずれかの面積が変更されると、変更された分割領域２１〜２４に画像を表示させるＰＣ１００Ａ〜１００Ｄは、変更された分割領域２１〜２４の面積に応じて決定されるデータ量で、画像データをプロジェクター２００に送信する。従って、プロジェクター２００に送信する画像データのデータ量を、各ＰＣ１００に好適に配分することができる。このため、プロジェクター２００がＰＣ１００からデータを受信して表示する場合に、プロジェクター２００が受信するデータ量を効果的に抑制することができる。
【００７７】
また、表示制御部２７３は、画像が表示される分割領域２１〜２４のいずれかの面積を変更した場合に、変更後の分割領域２１〜２４の表示面積を示す情報を対応するＰＣ１００Ａ〜１００Ｄに送信する。
ＰＣ１００Ａ〜１００Ｄの制御部１１０は、プロジェクター２００から受信した変更後の分割領域２１〜２４の表示面積を示す情報に基づき、プロジェクター２００に送信する画像データのデータ量を制御する。
従って、ＰＣ１００Ａ〜１００Ｄは、変更された分割領域２１〜２４の表示面積に応じた適切な量で画像データを送信することができる。
【００７８】
また、表示制御部は、分割領域２１〜２４のいずれかの面積を変更するごとに、変更後の分割領域２１〜２４の面積を示す情報を対応するＰＣ１００Ａ〜１００Ｄに送信する。
従って、ＰＣ１００Ａ〜１００Ｄがプロジェクター２００に送信する画像データのデータ量が、画像の表示面積に応じたデータ量に変更される。
従って、分割領域２１〜２４の面積が変更されても、ＰＣ１００Ａ〜１００Ｄがプロジェクター２００に送信する画像データのデータ量を、変更された分割領域２１〜２４の面積に応じて適切に調整することができる。
【００７９】
また、表示制御部２７３は、分割領域２１〜２４のいずれかの面積が変更された場合に、液晶パネル２１５の表示画素領域全体の面積と、表示画素領域に表示される画像データの面積を示す情報を対応するＰＣ１００Ａ〜１００Ｄに通知する。
ＰＣ１００Ａ〜１００Ｄは、プロジェクター２００から通知された情報に基づき、表示画素領域全体の面積と、表示画素領域に表示される画像データの面積との面積比によりプロジェクター２００に送信する画像データのデータ量を決定する。
従って、ＰＣ１００Ａ〜１００Ｄは、変更された分割領域２１〜２４の面積に応じた適切なデータ量で画像データを送信することができる。
【００８０】
また、ＰＣ１００Ａ〜ＰＣ１００Ｄの制御部１１０は、プロジェクター２００に送信する画像データのデータ量が、決定したデータ量となるように、画像データの解像度を変換又はフレームレートを変換する。従って、プロジェクター２００への画像データの送信を、遅延を生じることなく行うことができる。
【００８１】
［第２実施形態］
本発明の第２実施形態について説明する。第２実施形態のＰＣ１００及びプロジェクター２００の構成は、図２及び図３に示す第１実施形態のＰＣ１００及びプロジェクター２００の構成と同一であるため、その説明は省略する。
【００８２】
上述した第１実施形態では、プロジェクター２００において、各分割領域２１〜２４の表示面積と、表示画素領域全体の面積との面積比を算出して各ＰＣ１００に送信し、各ＰＣ１００において、面積比に基づいてデータ伝送速度の上限値を算出した。
本実施形態では、プロジェクター２００が算出した面積比に基づいてデータ伝送速度の上限値を分割領域２１〜２４ごとに算出し、算出したデータ伝送速度の上限値を示す情報を、各分割領域２１〜２４に表示する画像データを供給するＰＣ１００に通知する。
【００８３】
より詳細には、分割領域２１〜２４の表示面積を変更する操作が行われるごとに、プロジェクター２００の表示制御部２７３は、変更後の分割領域２１〜２４の液晶パネル２１５上での表示面積を算出する。そして、表示制御部２７３は、算出した分割領域２１〜２４の表示面積と、液晶パネル２１５の表示画素領域の面積との面積比を算出する。プロジェクター２００の表示制御部２７３は、各分割領域２１〜２４の表示面積と、表示画素領域全体の面積との面積比を算出すると、算出した面積比に基づいてデータ伝送速度の上限値を分割領域ごとに算出する。データ伝送速度の上限値の算出方法は、上述した第１実施形態でのＰＣ１００の制御部１１０の算出方法と同様である。
表示制御部２７３は、データ伝送速度の上限値を分割領域ごとに算出すると、算出したデータ伝送速度の上限値を、各分割領域に表示させる画像データをプロジェクター２００に供給するＰＣ１００に送信する。
【００８４】
また、表示制御部２７３は、算出したデータ伝送速度の上限値を変更してもよい。
例えば、表示制御部２７３は、表示面積が最も大きい分割領域のデータ伝送速度の上限値をより速い値に変更し、表示面積が最も小さい分割領域のデータ伝送速度の上限値をより遅い値に変更してもよい。すなわち、表示面積が小さい分割領域では表示される画像に遅延が生じても、表示面積が大きい分割領域は、表示される画像に遅延が生じないようにする。
なお、各分割領域のデータ伝送速度の上限値の和は、最大データ伝送速度に一致するようにする。
【００８５】
ＰＣ１００の制御部１１０は、プロジェクター２００からデータ伝送速度の上限値を示す情報を受信し、画像データの送信開始を指示されると、ユーザーにより選択された画像データを含むフレームデータを生成してプロジェクター２００に送信する。この際、制御部１１０は、通信Ｉ／Ｆ部１５０を制御して、プロジェクター２００に送信されるフレームデータのデータ伝送速度が、プロジェクター２００から通知されたデータ伝送速度の上限値を超えないように通信速度を制限する。
例えば、ＰＣ１００の制御部１１０は、受信したデータ伝送速度の上限値に基づき、プロジェクター２００に送信する画像データに、解像度変換処理や、フレームレート変換処理を行い、変換後の画像データをフレームデータに変換してプロジェクター２００に送信する。
【００８６】
本実施形態でも上述した第１実施形態と同様の効果を得ることができる。また、プロジェクター２００が、各ＰＣ１００のデータ伝送速度の上限値を設定するため、各ＰＣ１００のデータ伝送速度の調整を、最大データ伝送速度を超えることなく容易に行うことができる。
【００８７】
また、表示制御部２７３は、分割領域２１〜２４のいずれかの面積が変更されると、変更された分割領域２１〜２４の表示面積に基づき、画像データのデータ量を決定する。そして、表示制御部２７３は、表示面積が変更された分割領域２１〜２４に表示させる画像データを供給するＰＣ１００に、決定した画像データのデータ量を通知する。従って、ＰＣ１００は、変更された面積に対応したデータ量で画像データを送信することができる。
【００８８】
また、表示制御部２７３は、分割領域２１〜２４のいずれかの面積が変更されるごとに、変更された分割領域２１〜２４の面積に基づいて画像データのデータ量を決定する。従って、ＰＣ１００は、面積が変更されるごとに、変更された面積に応じたデータ量で画像データを送信することができる。
【００８９】
また、表示制御部２７３は、分割領域２１〜２４のいずれかの面積が変更された場合に、液晶パネル２１５の表示画素領域全体の面積と、表示画素領域に表示される画像データの面積との面積比に基づき、画像データのデータ量を決定する。表示制御部２７３は、決定した画像データのデータ量を、面積が変更された分割領域２１〜２４に表示される画像を供給するＰＣ１００に送信する。従って、ＰＣ１００からプロジェクター２００への画像データの送信を効率的に行い、プロジェクター２００の表示する画像に遅延が生じないようにすることができる。また、プロジェクター２００において、画像が表示されるまでの遅延時間を低減することができる。
【００９０】
上述した第１及び第２実施形態は本発明の好適な実施の形態である。但し、これに限定されるものでなはく、本発明の要旨を逸脱しない範囲内で種々の変形実施が可能である。
例えば、上述した実施形態では、光源が発した光を変調する光変調装置２１２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。
【００９１】
また、図２に示したＰＣ１００、及び図３に示したプロジェクター２００の各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター２００の他の各部の具体的な細部構成についても、本発明の趣旨を逸脱しない範囲で任意に変更可能である。
【００９２】
また、図７に示すフローチャートの処理単位は、プロジェクター２００の表示制御部２７３の処理を理解容易にするために、主な処理内容に応じて分割したものであり、処理単位の分割の仕方や名称によって本発明が制限されることはない。同様に、図８に示すフローチャートの処理単位は、ＰＣ１００の制御部１１０の処理を理解容易にするために、主な処理内容に応じて分割したものであり、処理単位の分割の仕方や名称によって本発明が制限されることはない。
また、表示制御部２７３及び制御部１１０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００９３】
５…リモコン、１０…ネットワーク、２０…表示領域、２１〜２４…分割領域、５０…分割領域設定画面、５１…アイコン、５２…設定領域、５５〜５８…図形、１００Ａ〜１００Ｄ…ＰＣ（第１の端末装置、第２の端末装置、端末装置）、１１０…制御部（第１制御部、第２制御部）、１１１…ＲＯＭ、１１２…ＲＡＭ、１１３…ＣＰＵ、１２０…記憶部、１２１…プロジェクター制御プログラム、１３１…入力デバイス、１３２…入力Ｉ／Ｆ部、１５０…通信Ｉ／Ｆ部、１６０…内部バス、２００…プロジェクター（表示装置）、２１０…表示部、２１１…光源部、２１２…光変調装置、２１３…投射光学系、２１５…液晶パネル、２２１…光源駆動部、２２２…光変調装置駆動部、２３０…無線通信部、２３５…リモコン受光部、２３７…処理部、２５１…通信Ｉ／Ｆ部、２５３…バッファー部、２５３Ａ〜２５３Ｄ…画像バッファー、２５５…画像処理部、２５７…フレームメモリー、２６０…記憶部、２７０…制御部、２７１…投射制御部、２７２…通信制御部、２７３…フレームメモリー、２８０…内部バス。
【図１】
2018036470.tif 000003
【図２】
2018036470.tif 000004
【図３】
2018036470.tif 000005
【図４】
2018036470.tif 000006
【図５】
2018036470.tif 000007
【図６】
2018036470.tif 000008
【図７】
2018036470.tif 000009
【図８】
2018036470.tif 000010